(57)【要約】【課題】マイクロホンを接続できる音響装置において、マイクロホンに向かって音声を発しながらトリムコントロールボリュームでレベルを調整するには、ある程度の熟練、経験を要する。大きなレベルの信号を入力して、その拡声音の歪みを見るにしても、レベルインジケータの変動する針を観察しながら適正なレベルに調整するにしても、熟練、経験のない操作者には困難な作業である。【解決手段】マイクロホン信号入力レベル調整装置は、入力信号レベル調整手段１２と、平均レベル検出手段２０と、比較手段３１と、表示手段３３とを備える。入力信号レベル調整手段１２は、マイクロホンからの音声信号を入力して入力された音声信号のレベルを調整可能である。平均レベル検出手段２０は、入力信号レベル調整手段１２によってレベル調整された音声信号の平均レベルを検出する。比較手段３１は、平均レベル検出手段２０によって検出された平均レベルと、設定された基準値とを比較する。表示手段３３は、比較手段３１における比較結果に応じて異なる表示を行う。【選択図】      図２
2004193768.tif 000002
【特許請求の範囲】
【請求項１】
入力信号レベル調整手段と、平均レベル検出手段と、比較手段と、表示手段とを備え、
該入力信号レベル調整手段は、マイクロホンからの音声信号を入力可能であり、該入力された音声信号のレベルを調整可能であり、
該平均レベル検出手段は、該入力信号レベル調整手段によってレベル調整された音声信号の平均レベルを検出し、
該比較手段は、該平均レベル検出手段によって検出された平均レベルと、設定された基準値とを比較し、
表示手段は、該比較手段における比較結果に応じて異なる表示を行う、マイクロホン信号入力レベル調整装置。
【請求項２】
該入力信号レベル調整手段は、該マイクロホンからの音声信号のレベルを連続的に調整可能である、請求項１記載のマイクロホン信号入力レベル調整装置。
【請求項３】
該比較手段には、第一の基準値と、該第一の基準値よりも値の大きな第二の基準値とが設定され、
該平均レベル検出手段によって検出された平均レベルが、該第一の基準値未満のときには、該表示手段が第一の表示を行い、
該平均レベル検出手段によって検出された平均レベルが、該第一の基準値を超え該第二の基準値未満のときには、該表示手段が第二の表示を行い、
該平均レベル検出手段によって検出された平均レベルが、該第二の基準値を越えるときには、該表示手段が第三の表示を行う、請求項１又は２記載のマイクロホン信号入力レベル調整装置。
【請求項４】
該第一の表示が、調整者に、該入力信号レベル調整手段で音声信号のレベルを大きくするように促す表示であり、
該第二の表示が、該入力信号レベル調整手段により調整された音声信号のレベルが適正であることを調整者に知らせる表示であり、
該第三の表示が、調整者に、該入力信号レベル調整手段で音声信号のレベルを小さくするように促す表示である、請求項１乃至３のいずれか一の項に記載のマイクロホン信号入力レベル調整装置。
【請求項５】
該平均レベル検出手段が、レベル減衰時の減衰を緩慢にするリリース特性を有する、請求項１乃至４のいずれか一の項に記載のマイクロホン信号入力レベル調整装置。
【発明の詳細な説明】
【０００１】
【発明の属する技術分野】
この出願に係る発明は、マイクロホンからの音声信号の入力レベルを適正なレベルに調整することのできる、マイクロホン信号入力レベル調整装置に関し、特に、経験や熟練のない調整者でも容易に適正なレベル調整をすることができるような、マイクロホン信号入力レベル調整装置に関する。
【０００２】
【従来の技術】
音響機器にはマイクロホンからの音声信号のレベルを調整することができるように、入力信号レベル調整手段を備えたものも多い。
【０００３】
図１２は、かかる音響機器の一種たるマイクロホンミキサー１０１の概略ブロック図である。このマイクロホンミキサー１０１では、複数系統の入力モジュール１００Ｍを備えており、それらはマイクロホンからの音声信号を入力することができるようになっている。また図示しないが、マイクロホンミキサー１０１の後段にはアンプとスピーカとが接続されるようになっている。
【０００４】
マイクロホンからの音声信号は、トリムコントロールボリューム１１２によってそのレベルが調整される。トリムコントロールボリューム１１２は、音声信号のレベルを連続的に、つまり無段階に変化させることができる。トリムトロールボリューム１１２でレベル調整された音声信号は、さらに後段のミキシング回路１５１に送出される。
【０００５】
かかるマイクロホンミキサー１０１において、良好なＳ／Ｎ比の音声信号を出力端子から出力しようとすれば、ミキシング回路１５１が許容できる範囲で、なるべく大きなレベルの音声信号をミキシング回路１５１に入力することが望ましい。つまり、入力モジュール１００Ｍからミキシング回路１５１に送出される信号のレベルが小さすぎるとＳ／Ｎ比が悪くなるので、後段でボリュームを上げてもスピーカからの拡声音に歪みが多くなる。また、ミキシング回路１５１に送出される信号のレベルが大きすぎるとミキシング回路１５１の入力部で信号がクリップしてしまい、スピーカからの拡声音に歪みが多くなる。
【０００６】
入力モジュール１００Ｍにマイクロホンが接続されたときは、そのマイクロホンの種類や使用状態によってその出力信号レベルも異なることから、マイクロホンミキサー１０１の操作者（調整者）は、そのマイクロホンに向かって「マイクチェック、マイクチェック」などと発声しつつ、スピーカから再生される拡声音を直接聞いたり、マイクロホンミキサー１０１に指針式のレベルインジケータが設けられている場合にはこのレベルインジケータを観察したりしながら、トリムコントロールボリューム１１２を調整するのである。
【０００７】
【発明が解決しようとする課題】
しかし、このようにマイクロホンに向かって音声を発しながらトリムコントロールボリューム１１２を調整するには、ある程度の熟練、経験を要する。大きなレベルの信号を入力して、その拡声音の歪みを見るにしても、レベルインジケータの変動する針を観察しながら適正なレベルに調整するにしても、かなりの熟練、経験を要するであろうことは容易に想像される。
【０００８】
本願発明は、特に経験や熟練のない調整者でも、容易に適正なレベル調整が可能となるような、マイクロホン信号入力レベル調整装置を提供することを目的とする。
【０００９】
【課題を解決するための手段】
上記課題を解決するために、この出願発明に係るマイクロホン信号入力レベル調整装置は、入力信号レベル調整手段と、平均レベル検出手段と、比較手段と、表示手段とを備え、該入力信号レベル調整手段は、マイクロホンからの音声信号を入力可能であり、該入力された音声信号のレベルを調整可能であり、該平均レベル検出手段は、該入力信号レベル調整手段によってレベル調整された音声信号の平均レベルを検出し、該比較手段は、該平均レベル検出手段によって検出された平均レベルと、設定された基準値とを比較し、表示手段は、該比較手段における比較結果に応じて異なる表示を行う（請求項１）。
【００１０】
かかる構造であれば、調整者は、表示手段の表示に従い、レベル調整を行うことができる。該表示は、入力信号レベル調整手段によって調整された音声信号の平均レベルが基準値と比較された結果として表れたものであるから、該表示に従うことによって、適正なレベル調整を行うことができる。また、特に経験や熟練のない者であっても、表示手段の表示に従うことにより、容易に調整することができる。
【００１１】
上記マイクロホン信号入力レベル調整装置において、該入力信号レベル調整手段は、該マイクロホンからの音声信号のレベルを連続的に調整可能であってもよい（請求項２）。このように構成すると、より適正なレベル調整を行うことができる。
【００１２】
また上記マイクロホン信号入力レベル調整装置において、該比較手段には、第一の基準値と、該第一の基準値よりも値の大きな第二の基準値とが設定され、該平均レベル検出手段によって検出された平均レベルが、該第一の基準値未満のときには、該表示手段が第一の表示を行い、該平均レベル検出手段によって検出された平均レベルが、該第一の基準値を超え該第二の基準値未満のときには、該表示手段が第二の表示を行い、該平均レベル検出手段によって検出された平均レベルが、該第二の基準値を越えるときには、該表示手段が第三の表示を行ってもよいし（請求項３）、該第一の表示が、調整者に、該入力信号レベル調整手段で音声信号のレベルを大きくするように促す表示であり、該第二の表示が、該入力信号レベル調整手段により調整された音声信号のレベルが適正であることを調整者に知らせる表示であり、該第三の表示が、調整者に、該入力信号レベル調整手段で音声信号のレベルを小さくするように促す表示であってもよい（請求項４）。
【００１３】
また上記マイクロホン信号入力レベル調整装置において、該平均レベル検出手段が、レベル減衰時の減衰を緩慢にするリリース特性を有するものであってもよい（請求項５）。このように構成すると、調整者は表示手段の表示内容を確認しやすくなる。
【００１４】
【発明の実施の形態】
この出願発明の実施形態を図面を参照しながら説明する。まず図１〜１０を参照しつつ、本願発明の一実施形態たるマイクロホン信号入力レベル調整装置を採用したマイクロホンミキサー１の基本的な構造を説明する。
【００１５】
図１は、マイクロホンミキサー１を含む音響システムの概略ブロック図である。この音響システムは、マイクロホン６１と、マイクロホンミキサー１と、アンプ６２と、スピーカ６６とを備える。マイクロホンミキサー１は複数系統（Ｎ系統）の入力モジュールＭを備えており、マイクロホン６１はこの内の一つに接続されている。マイクロホンミキサー１から出力される信号は、アンプ６２に入力され、アンプ６２から出力される信号はスピーカ６６に入力される。これにより、マイクロホン６１に向かって発せられた音声がスピーカ６６から出力される。
【００１６】
マイクロホンミキサー１は、Ｎ系統の入力モジュールＭとミキシング回路５１と出力信号レベル調整回路５２と出力端子５３とを備える。各入力モジュールＭからの出力信号がミキシング回路５１で混合され、その混合信号が出力信号レベル調整回路５２でレベル調整された後に出力端子５３に送出される。
【００１７】
図２は入力モジュールＭのブロック図である。入力モジュールＭは、入力端子１１と、入力信号レベル調整手段たる入力信号レベル調整回路１２と、バッファアンプ１３と、平均レベル検出手段たる平均レベル検出回路２０と、比較手段たる比較回路３１と、ディスプレイ駆動回路３２と、表示手段たるパネル式のディスプレイ３３とを備える。本願発明のマイクロホン信号入力レベル調整装置は、このうちの、主に、入力信号レベル調整回路１２と、平均レベル検出回路２０と、比較回路３１と、ディスプレイ駆動回路３２と、ディスプレイ３３とから構成される。
【００１８】
マイクロホン６１は入力モジュールＭの入力端子１１に接続される。そして、マイクロホン６１からの音声信号は、まず入力信号レベル調整回路１２によってレベル調整される。入力信号レベル調整回路１２は主にボリュームから構成されており、入力端子１１からの入力信号のレベルを連続的に（無段階に）調整できるようになっている。よって、微調整も可能である。入力信号レベル調整回路１２でレベルを調整された信号は、バッファアンプ１３を介して、後段のミキシング回路５１へ送出される。
【００１９】
入力信号レベル調整回路１２でレベル調整された信号は、バッファアンプ１３のみならず、平均レベル検出回路２０へも出力される。平均レベル検出回路２０は、入力された信号の平均レベル信号を出力する。そしてその後段の比較回路３１が、平均レベル検出回路２０から送られてきた平均レベル信号の値を、予め設定された基準値と比較する。そしてディスプレイ駆動回路３２は、その比較結果に応じた表示がディスプレイ３３に表れるように、ディスプレイ３３を駆動する。
【００２０】
次に、平均レベル検出回路２０、比較回路３１、ディスプレイ駆動回路３２  および  ディスプレイ３３の機能をさらに詳細に説明する。
【００２１】
まず、平均レベル検出回路２０の機能を説明する。平均レベル検出回路２０は、ここに送られてくる音声信号の平均レベル信号を生成する。平均レベル検出回路２０はアナログ回路によってもデジタル回路によっても構成することができる。
【００２２】
図３はアナログ回路によって構成された平均レベル検出回路２０のブロック図である。この平均レベル検出回路２０の構成は、整流回路２１と時定数回路２２とが直列に接続された構成である。平均レベル検出回路２０に入力された音声信号は整流回路２１で整流されて、後段の時定数回路２２へ送出される。
【００２３】
図４はこの時定数回路２２の回路図である。時定数回路２２のコンデンサ２４の電位が、時定数回路２２の出力信号となる。抵抗器２５の抵抗値は抵抗器２３の抵抗値よりも充分に大きく、よって充電速度は比較的速く放電速度は比較的遅い。つまりこの時定数回路２２は、アタック時間は比較的短くリリース時間は比較的長い、アタック／リリース回路である。この回路２２のアタック特性は主にコンデンサ２４と抵抗器２３とにより定まり、リリース特性は主にコンデンサ２４と抵抗器２５とにより定まる。
【００２４】
図５はデジタル回路によって平均レベル検出回路２０を構成したときの、平均レベル検出回路２０によって実行されるフローチャートの一例である。図５のフローチャートにより図３のアナログ回路とほぼ同様の信号処理がなされる。
【００２５】
このフローチャートでは、平均レベル検出回路２０への入力信号がＶｉで、出力信号がＶｏで表されている。このフローチャートに従って説明すると、まず、Ｖｏの初期値として０が設定される（ステップ２）。
【００２６】
次に、入力電圧Ｖｉがサンプリング周波数ｆｓでサンプリングされる（ステップ３）。そして、サンプリングされた入力電圧Ｖｉの絶対値｜Ｖｉ｜がＶｏよりも大きい（若しくは等しい）か否かが判断される（ステップ４）。入力電圧Ｖｉの絶対値｜Ｖｉ｜がＶｏよりも大きい（若しくは等しい）場合、すなわちアタック時である場合には、入力電圧Ｖｉの絶対値｜Ｖｉ｜からＶｏを引いた値に定数Ｋａを掛けたものをＶｏに加えて、この値を新たなＶｏとする（ステップ５）。入力電圧Ｖｉの絶対値｜Ｖｉ｜がＶｏよりも小さい場合、すなわちリリース時である場合には、ＶｏにＫｒを掛けたものを新たなＶｏとする（ステップ６）。そして、ステップ５またはステップ６により算出された新たなＶｏ値を平均レベル検出回路２０の出力信号として出力する（ステップ７）。このようなステップ４〜７の処理が、Ｖｉをサンプリングする毎に行われる。
【００２７】
ステップ５、ステップ６で使用される定数Ｋａ、Ｋｒの一例として、Ｋａ＝０．０２０８３３３３、Ｋｒ＝０．９９９９７９２  とすることができる。かかる数値は、サンプリング周波数ｆｓ＝４８ｋＨｚ  とし、アタック時定数Ｔａ＝１ｍ秒とし、リリース時定数Ｔｒ＝１秒として、Ｋａ＝（１／（Ｔａ・ｆｓ））、Ｋｒ＝１−（１／（Ｔｒ・ｆｓ））  なる式から求めた数値である。
【００２８】
次に、図６を参照しつつ、比較回路３１の機能を説明する。比較回路３１にはＲ１、Ｒ２という２つの基準値が設定されている。Ｒ２はＲ１よりも大きい。ミキシング回路に入力される信号レベルの適正値はＮｏ（ｄＢ）であり、Ｒ１として（Ｎｏ−６）（ｄＢ）が、Ｒ２として（Ｎｏ＋３）（ｄＢ）が設定されている。比較回路３１はこれに入力される信号電圧をこれら基準値と比較して、その比較結果に応じた信号を出力する。
【００２９】
すなわち、比較回路３１が入力する信号電圧がＲ１未満であれば、比較回路３１は第１の信号を出力する。比較回路３１が入力する信号電圧がＲ１を超えＲ２未満であれば、比較回路３１は第２の信号を出力する。比較回路３１が入力する信号電圧がＲ２を超えていれば、比較回路３１は第３の信号を出力する。比較回路３１が入力する信号電圧がＲ１に一致するときは第１の信号若しくは第２の信号を出力する。比較回路３１が入力する信号電圧がＲ２に一致するときは第２の信号若しくは第３の信号を出力する。
【００３０】
図６は、比較回路３１に入力される信号と基準値Ｒ１，Ｒ２との関係を示す図である。この図の横軸は時間を示す。比較回路３１に図６の実曲線で示すような信号が入力されたとする。すると、矢印ａ１，ａ５で示される期間は、比較回路３１から第１の信号が出力される。矢印ａ２，ａ４で示される期間は、比較回路３１から第２の信号が出力される。矢印ａ３で示される期間は、比較回路３１から第３の信号が出力される。
【００３１】
次に、図７を参照しつつ、ディスプレイ駆動回路３２およびディスプレイ３３の機能を説明する。ディスプレイ駆動回路３２は、ディスプレイ３３の表示内容を制御する回路である。ディスプレイ駆動回路３２は、これ（ディスプレイ駆動回路３２）に入力される信号に応じた表示内容をディスプレイ３３に表示させる。比較回路３１から第１の信号がディスプレイ駆動回路３２に送られてきたときは、ディスプレイ駆動回路３２はディスプレイ３３に図７（ａ）のような「ＵＰ」という表示が表れるように、ディスプレイ３３を駆動する。比較回路３１から第２の信号がディスプレイ駆動回路３２に送られてきたときは、ディスプレイ駆動回路３２はディスプレイ３３に図７（ｂ）のような「ＯＫ」という表示が表れるように、ディスプレイ３３を駆動する。比較回路３１から第３の信号がディスプレイ駆動回路３２に送られてきたときは、ディスプレイ駆動回路３２はディスプレイ３３に図７（ｃ）のような「ＤＯＷＮ」という表示が表れるように、ディスプレイ３３を駆動する。
【００３２】
以上、入力モジュールＭの平均レベル検出回路２０、比較回路３１、ディスプレイ駆動回路３２  および  ディスプレイ３３の機能の各々を説明した。
【００３３】
次に、マイクロホン６１に音声が入力されたときの平均レベル検出回路２０等の動作を、図８，図９，図１０に基づいて説明する。
【００３４】
図８はマイクロホンミキサー１の斜観図である。マイクロホンミキサー１には回転操作手段たるつまみ１２ａが設けられており、これを操作することによって図２の入力信号レベル調整回路１２がコントロールされる。マイクロホンミキサー１の入力モジュールＭにはマイクロホン６１（図８では図示せず）が接続されており、調整者はこのマイクロホン６１に向かって、例えば「マイクチェック、マイクチェック」などという音声を発しながら、つまみ１２ａを操作する。
【００３５】
図９は、平均レベル検出回路２０の入出力信号図であり、（ａ）はマイクロホンに向かって「マイクチェック、マイクチェック」という音声が発せられたときに、平均レベル検出回路２０に入力される信号（音声信号）の図であり、（ｂ）はそのときに出力される信号（平均レベル信号）の図である。（ａ）（ｂ）において横軸は時間を示す。（ｂ）においては、実線で示す曲線が、平均レベル検出回路２０の出力信号を示す。なお、（ｂ）において二点鎖線で示す曲線は、（ａ）の音声信号の包絡線（エンベロープ）である。仮に平均レベル検出回路２０のリリース時間が非常に短ければ、平均レベル検出回路２０の出力信号はこの二点鎖線の曲線に概略一致する。
【００３６】
図９（ｂ）では、矢印ａ１１，ａ１３の期間において、平均レベル検出回路２０が第１の信号を出力するので、ディスプレイ３３には「ＵＰ」という表示が表れる。矢印ａ１２の期間においては、平均レベル検出回路２０が第２の信号を出力するので、ディスプレイ３３には「ＯＫ」という表示が表れる。
【００３７】
このように、マイクロホン６１に向かって「マイクチェック、マイクチェック」という音声を発したときにディスプレイ３３に「ＯＫ」という表示が表れると、調整者はこれを見ることにより、入力信号レベル調整回路１２の調整が適正であることを知ることができる。
【００３８】
図９（ｂ）に示されるように、平均レベル検出回路２０の出力信号がＲ１以上に維持される時間が、平均レベル検出回路２０のリリース特性のために引き伸ばされているので、調整者はディスプレイ３３の「ＯＫ」という表示を確実に確認することができる。
【００３９】
仮に平均レベル検出回路２０のリリース時間が非常に短ければ、平均レベル検出回路２０の出力信号は図９（ｂ）の二点鎖線の曲線に概略一致することを前述した。このときには、矢印ａ１２の期間において、「ＵＰ」という表示と「ＯＫ」という表示が何度か繰り返されることになり、調整者には、入力信号レベル調整回路１２の調整が適正であるか否かを判別しにくくなる。
【００４０】
図１０（ａ）（ｂ）は、入力信号レベル調整回路１２による信号レベル調整が適正でないときの、平均レベル検出回路２０から出力される信号（平均レベル信号）を示す図である。
【００４１】
（ａ）は、入力信号レベル調整回路１２が送出する信号レベルが大きすぎるときの、平均レベル検出回路２０から出力される信号（平均レベル信号）を示す。矢印ａ２３，ａ２５の期間において、ディスプレイ３３に「ＤＯＷＮ」という表示が表れるので、調整者は信号レベルが大きすぎることを知る。調整者は「ＤＯＷＮ」の表示に従って、入力信号レベル調整回路１２により調整される信号レベルを、つまみ１２ａの操作によって小さくすればよい。
【００４２】
（ｂ）は、入力信号レベル調整回路１２が送出する信号レベルが小さすぎるときの、平均レベル検出回路２０から出力される信号（平均レベル信号）を示す。マイクロホン６１に向かって音声を発してもディスプレイ３３には「ＵＰ」という表示しか表れないので、調整者は信号レベルが小さすぎることを知る。調整者は「ＵＰ」の表示に従って、入力信号レベル調整回路１２により調整される信号レベルを、つまみ１２ａの操作によって大きくすればよい。
【００４３】
マイクロホン６１に音声が入力されたときの各回路の動作を、図８，図９，図１０に基づいて説明した。上述の説明から理解されるように、調整者はディスプレイ３３の表示内容のみに基づいて、入力信号レベル調整回路１２による信号レベル調整を行うことができる。よって、熟練や経験のない調整者であっても、入力信号レベル調整回路１２による信号レベル調整が適正になされる。
【００４４】
以上、図１〜１０に基づいて、本願発明の一実施形態を説明した。上記実施形態では、平均レベル検出回路２０は入力される信号電圧の絶対値（整流値）をアタック／リリース回路の時定数によって平均化することにより、平均レベル信号を生成したが、平均レベル検出回路２０はかかる構成に限定されない。例えば、二乗回路とローパスフルター回路とによって構成し、入力される信号を二乗してからローパスフィルターを通過させることにより得られるエンベロープ信号を、平均レベル信号として出力するものであってもよい。また、上記実施形態の平均レベル検出回路２０は、アタック時間に比べてリリース時間の長いアタック／リリース回路（時定数回路）を用いたが、リリース時間をアタック時間と同様としてもよいし、それよりも短くしてもよい。
【００４５】
また上記実施形態では、信号レベルを大きくするように調整者を促す表示として「ＵＰ」なる表示内容を、入力信号レベル調整回路１２により調整された信号のレベルが適正であることを調整者に知らせる表示として「ＯＫ」なる表示内容を、信号レベルを小さくするように調整者に促す表示として「ＤＯＷＮ」なる表示内容を、それぞれ例示したが、表示内容はこれに限らず、例えば、「入力ボリュームを上げてください」「適正レベルです」「入力ボリュームを下げて下さい」というようなものでもよい。
【００４６】
また上記実施形態では、表示手段としてパネル式のディスプレイ３３を採用したが、表示手段の構成はこれに限らない。例えば、図１１のように、マイクロホンミキサー４０の前面パネルに３個のＬＥＤ４１，４２，４３を配し、このうちのいずれが点灯するかによって、入力信号レベル調整回路１２の調整度合いを示してもよい。例えば、図１１のように、マイクロホンミキサー４０の前面パネルにおいて、各ＬＥＤ４１，４２，４３の上部に「ＵＰ」「ＯＫ」「ＤＯＷＮ」と印刷し、点灯するＬＥＤによって調整者が入力信号レベル調整回路１２をどのように調整すべきかを示してもよい。
【００４７】
また上記実施形態では、各回路がアナログ回路であるかデジタル回路であるかを明確に説明したものや、そうでないものもあった。本願発明において各回路がアナログ回路であるかデジタル回路であるかは特段重要ではなく、いずれの方式を採用してもよい。
【００４８】
また上記実施形態では、入力モジュールＭにおいて、入力端子１１の直後に入力信号レベルを連続的に調整することができる入力信号レベル調整回路１２を設けたが、例えば、入力端子１１と入力信号レベル調整回路１２との間に、入力信号レベルを段階的に（例えば、−２０ｄＢ、−４０ｄＢ、−６０ｄＢの３段階に）調整することができる切換式のアッテネータを設けてもよい。
【００４９】
また上記実施形態では、比較回路３１に２つの基準値を設定し、ディスプレイ３３による表示を３種としたが、さらに多くの基準値を設定して表示の種類を多くしてもよいし、基準値を１つのみ設定し２種の表示のみ行うようにしてもよい。
【００５０】
また上記実施形態では、マイクロホン信号入力レベル調整装置をマイクロホンミキサー１に適用した例を示したが、他の音響機器に適用することもできる。
【００５１】
【発明の効果】
本発明は、以上説明したような形態で実施され、特に経験や熟練のない調整者でも、容易に適正なレベル調整を行うことが可能となる。
【図面の簡単な説明】
【図１】マイクロホンミキサーを含む音響システムの概略ブロック図である。
【図２】入力モジュールの概略ブロック図である。
【図３】アナログ回路によって構成された平均レベル検出回路のブロック図である。
【図４】時定数回路の回路図である。
【図５】デジタル回路によって平均レベル検出回路を構成したときの、平均レベル検出回路によって実行されるフローチャートである。
【図６】比較回路に入力される信号と基準値との関係を示す図である。
【図７】ディスプレイの正面図であり、（ａ）（ｂ）（ｃ）により３種の表示形態を示す図である。
【図８】マイクロホンミキサーの斜観図である。
【図９】平均レベル検出回路の入出力信号図であり、（ａ）は入力信号の図であり、（ｂ）は出力信号の図である。
【図１０】平均レベル検出回路からの出力信号の図であり、（ａ）は、入力信号レベル調整回路が送出する信号レベルが大きすぎるときの平均レベル検出回路の出力信号の図であり、（ｂ）は、入力信号レベル調整回路が送出する信号レベルが小さすぎるときの平均レベル検出回路の出力信号の図である。
【図１１】マイクロホンミキサーの斜観図である。
【図１２】従来のマイクロホン信号入力レベル調整装置を採用したマイクロホンミキサーのブロック図である。
【符号の説明】
１  マイクロホンミキサー
１１  入力端子
１２  入力信号レベル調整回路
１３  バッファアンプ
２０    平均レベル検出回路
２１    整流回路
２２    時定数回路
２３    抵抗器
２４    コンデンサ
２５  抵抗器
３１    比較回路
３２    ディスプレイ駆動回路
３３    ディスプレイ
５１    ミキシング回路
５２  出力信号レベル調整回路
５３    出力端子
６１    マイクロホン
６２    アンプ
６６    スピーカ
Ｍ  入力モジュール
【図１】
2004193768.tif 000003
【図２】
2004193768.tif 000004
【図３】
2004193768.tif 000005
【図４】
2004193768.tif 000006
【図５】
2004193768.tif 000007
【図６】
2004193768.tif 000008
【図７】
2004193768.tif 000009
【図８】
2004193768.tif 000010
【図９】
2004193768.tif 000011
【図１０】
2004193768.tif 000012
【図１１】
2004193768.tif 000013
【図１２】
2004193768.tif 000014